(57)【要約】【課題】音声案内の利便性を向上し得るエレベータ装置を提案する。【解決手段】テキストデータを送信する携帯端末と、携帯端末からのテキストデータを受信する一方で、テキストデータに対応する音声データを乗りかご内で音声出力するかご制御装置と、かご制御装置が受信したテキストデータを音声合成して作成した音声データをかご制御装置に送信するエレベータ制御装置とを備えたエレベータシステムにおいて、携帯端末は、テキストデータとともにスケジュールデータを送信し、エレベータ制御装置は、スケジュールデータに基づいて音声出力される日時が指定されているか否かを判断し、指定されている場合、指定日時が到来した際にテキストデータを音声合成して作成した音声データをかご制御装置に送信し、かご制御装置は、指定日時に音声データを音声出力することを特徴とするエレベータシステム。【選択図】図１
2014234292.tif 000002
【特許請求の範囲】
【請求項１】
テキストデータを送信する携帯端末と、前記携帯端末からのテキストデータを受信する一方で、前記テキストデータに対応する音声データをスピーカにより乗りかご内の乗客に向けて音声出力するかご制御装置と、前記かご制御装置が受信したテキストデータを音声合成して音声データを作成し、作成した音声データを前記かご制御装置に送信するエレベータ制御装置とを備えたエレベータシステムにおいて、
前記携帯端末は、
前記テキストデータとともに、或いは、前記スケジュールデータに付加して、前記かご制御装置により音声出力される日時を指定したスケジュールデータを送信し、
前記エレベータ制御装置は、
前記かご制御装置が前記テキストデータを受信した場合、前記スケジュールデータに基づいて音声出力される日時が指定されているか否かを判断し、指定されている場合、指定日時が到来した際に前記テキストデータを音声合成して音声データを作成し、作成した音声データを前記かご制御装置に送信し、
前記かご制御装置は、
前記指定日時に前記音声データを音声出力する
ことを特徴とするエレベータシステム。
【請求項２】
前記携帯端末は、
メッセージ及び指定日時を入力するためのメッセージ入力部を備え、
前記メッセージ入力部により入力されたメッセージ及び指定日時をテキストデータ及びスケジュールデータに変換して前記かご制御装置に送信する
ことを特徴とする請求項１に記載のエレベータシステム。
【請求項３】
前記携帯端末からのテキストデータを受信する一方で、前記テキストデータに対応する音声データをスピーカにより乗場において音声出力する乗場制御装置を備え、
前記携帯端末は、
前記テキストデータを前記乗場制御装置に送信し、
前記エレベータ制御装置は、
前記乗場制御装置が前記テキストデータを受信した場合、前記テキストデータを音声合成して音声データを作成し、作成した音声データを前記乗場制御装置に送信し、
前記乗場制御装置は、
前記指定日時に前記音声データを音声出力する
ことを特徴とする請求項１に記載のエレベータシステム。
【請求項４】
前記携帯端末は、
スケジュール及びメッセージを管理するためのスケジュール管理部を備え、
前記スケジュール管理部により管理されているスケジュールが到来した場合、前記メッセージをテキストデータに変換して前記乗場制御装置に送信する
ことを特徴とする請求項３に記載のエレベータシステム。
【発明の詳細な説明】
【技術分野】
【０００１】
本発明は、エレベータシステムに関する。
【背景技術】
【０００２】
従来、エレベータ装置において音声案内しようとする場合、予め決められた標準的な放送内容を肉声で録音して音声データを作成しておき、作成した音声データを適切なタイミングでアナウンスするようにしている。また標準的な放送内容以外の内容をアナウンスしようとする場合には、音声データが存在しないため、例えばアナウンスしたい内容を貼紙に掲載してエレベータ装置の乗場に貼っておくなどして対応している。
【０００３】
標準的な放送内容以外の内容についても音声案内する技術は、例えば特許文献１及び２に開示されている。
【０００４】
特許文献１には、標準的な放送内容に加えて、ビルごとの特殊メッセージやＢＧＭを放送することのできる自動放送装置が開示されている。具体的には、標準的な放送に追加することを目的として、予め作成した任意の音声データをメモリカードに書き込んでおく。そしてこのメモリカードを音声案内装置に接続することにより、メモリカード内の音声データを自動再生するようにした自動放送装置が開示されている。
【０００５】
また特許文献２には、アナウンスを自由に変更できるエレベータの音声出力システムが開示されている。具体的には、携帯電話でアナウンス内容を変更するための操作を行うと、そのデータはエレベータサービスセンタのサーバに登録され、登録されたデータに基づいて音声データが作成される。そして作成された音声データがエレベータ制御装置に転送されるとともに音声合成されて、スピーカから出力される音声出力システムが開示されている。
【先行技術文献】
【特許文献】
【０００６】
【特許文献１】特開２００５−２６３３９７号公報
【特許文献２】特開２００３−９５５４８号公報
【発明の概要】
【発明が解決しようとする課題】
【０００７】
しかし、特許文献１に記載の技術では、メモリカードに音声データを予め書き込んでおく作業及び音声データを書き込んだメモリカードを音声案内装置に接続する作業が必要になる。よって実際にアナウンスを開始するまでには相当の時間がかかり、突発的なアナウンスに対応することはできない。
【０００８】
また特許文献２に記載の技術では、音声案内を変更することができるのはオーナー、管理人又はビル管理会社などの管理者に限定されており、これら管理者が音声案内を変更する構成は開示されているものの、エレベータ装置を利用する利用者が音声案内を変更する構成については何ら開示も示唆もされていない。よって利用者が音声案内を変更することはできない。
【０００９】
本発明は以上の点を考慮してなされたもので、音声案内の利便性を向上し得るエレベータシステムを提案するものである。
【課題を解決するための手段】
【００１０】
かかる課題を解決するために、本発明におけるエレベータシステムは、テキストデータを送信する携帯端末と、携帯端末からのテキストデータを受信する一方で、テキストデータに対応する音声データをスピーカにより乗りかご内の乗客に向けて音声出力するかご制御装置と、かご制御装置が受信したテキストデータを音声合成して音声データを作成し、作成した音声データをかご制御装置に送信するエレベータ制御装置とを備え、携帯端末は、テキストデータとともに、或いは、スケジュールデータに付加して、かご制御装置により音声出力される日時を指定したスケジュールデータを送信し、エレベータ制御装置は、かご制御装置がテキストデータを受信した場合、スケジュールデータに基づいて音声出力される日時が指定されているか否かを判断し、指定されている場合、指定日時が到来した際にテキストデータを音声合成して音声データを作成し、作成した音声データをかご制御装置に送信し、かご制御装置は、指定日時に音声データを音声出力することを特徴とする。
【発明の効果】
【００１１】
本発明によれば、音声案内の利便性を向上することができる。
【図面の簡単な説明】
【００１２】
【図１】本実施の形態におけるエレベータシステムの全体構成図である。
【図２】エレベータシステムの機能構成図である。
【図３】乗りかご内部の正面構成図である。
【図４】乗場の正面構成図である。
【図５】携帯端末の画面構成図である。
【図６】管理者用音声案内処理を示すフローチャートである。
【図７】利用者用音声案内処理を示すフローチャートである。
【発明を実施するための形態】
【００１３】
以下図面について、本発明の一実施の形態を詳述する。
【００１４】
図１は、本実施の形態におけるエレベータシステム１の全体構成を示す。
エレベータシステム１は、エレベータ装置１０及び携帯端末２０から構成される。またエレベータ装置１０は、エレベータ制御装置１１、かご制御装置１２、乗場制御装置１３、乗りかご１４、テールコード１５、巻上機１６、釣り合いおもり１７及び乗場１８から構成される。
【００１５】
エレベータ制御装置１１は、エレベータ装置１０の動作を統括的に制御するための装置であり、ここではエレベータ装置１０上部の図示しない機械室に配置される。かご制御装置１２は、乗りかご１４の行先階及び到着階をランプにより表示し、また乗りかご１４の乗客に音声案内する。乗場制御装置１３は、乗場１８において利用者が乗りかご１４を呼び寄せる操作をした場合、乗りかご１４をその利用者のフロアに移動するように要求し、また乗場１８において利用者に音声案内する。
【００１６】
乗りかご１４は、エレベータ装置１０の利用者を昇降させるためのかごである。テールコード１５は、エレベータ制御装置１１と乗りかご１４とを互いに通信可能に接続し、また電力を供給するための電線である。巻上機１６は、乗りかご１４を上下移動させるためのモータ、ギア、ブレーキ及び綱車から構成される駆動装置である。釣り合いおもり１７は、エレベータ装置１０の省電力を図るために乗りかご１４の重量と釣り合うように設けられるおもりである。
【００１７】
図２は、エレベータシステム１の機能構成を示す。
エレベータシステム１は、エレベータ装置１０と携帯端末２０とが互いに通信可能に接続して構成される。またエレベータ装置１０は、エレベータ制御装置１１、かご制御装置１２及び乗場制御装置１３が互いに通信可能に接続して構成される。
【００１８】
エレベータ制御装置１１は、制御部１１１、記憶部１１２、音声合成部１１３及び時刻管理部１１４から構成される。
【００１９】
制御部１１１は、例えばＣＰＵ（Central Processing Unit）であり、エレベータ制御装置１１の動作を統括的に制御する。記憶部１１２は、例えばＲＡＭ（Random Access Memory）又はＲＯＭ（Read Only Memory）であり、各種プログラム及び各種データを記憶する。音声合成部１１３は、ＣＰＵ、ＲＡＭ及びＲＯＭなどから構成され、テキストデータを音声合成する装置である。時刻管理部１１４は、現在時刻及び音声案内する指定日時を管理する。
【００２０】
かご制御装置１２は、制御部１２１、情報受信部１２２及びスピーカ１２３から構成される。また乗場制御装置１３も同様に、制御部１３１、情報受信部１３２及びスピーカ１３３から構成される。
【００２１】
制御部１２１及び１３１は、例えばＣＰＵであり、かご制御装置１２又は乗場制御装置１３の動作を統括的に制御する。情報受信部１２２及び１３２は、ＣＰＵ、ＲＡＭ及びＲＯＭなどから構成され、携帯端末２０からの情報を受信する装置である。スピーカ１２３及び１３３は、ＣＰＵ、ＲＡＭ及びＲＯＭなどから構成され、利用者に音声案内するための装置である。
【００２２】
携帯端末２０は、一般的な携帯電話又は携帯情報端末であり、情報発信部２０１及びアプリケーション２０２から構成される。情報発信部２０１は、例えば電話回線又は無線通信により、携帯端末２０上で作成したテキストデータをかご制御装置１２又は乗場制御装置１３に送信する。アプリケーション２０２は、図示しないＣＰＵとの協働により各種機能を実現するためのプログラムであり、ここではメッセージを入力するためのメッセージ入力機能及びスケジュールを管理するためのスケジュール管理機能を実現するためのプログラムである。
【００２３】
図３は、乗りかご１４内部の正面構成を示す。
乗りかご１４は、かごドア１４１、かご内表示器１４２、かご内操作盤１４３、かご内スピーカ１４４から構成される。
【００２４】
かごドア１４１は、乗りかご１４が行先階に到着すると開閉動作する。かご内表示器１４２は、乗りかご１４の位置情報及び運転方向を表示する。かご内操作盤１４３は、行先階を登録するための行先階登録ボタン１４３１と、かごドア１４１の開閉指令を出力する開閉ボタン１４３２及び１４３３と、保守スイッチを格納するスイッチボックス１４３４とから構成される。スピーカ１４４は、到着階やかごドア１４１の開閉動作を乗りかご１４内の利用者に向けて音声案内する。
【００２５】
図４は、乗場１８の正面構成を示す。
乗場１８は、乗場ドア１８１、到着灯１８２、呼びボタン１８３及びスピーカ１８４から構成される。
【００２６】
乗場ドア１８１は、乗りかご１４が乗場１８に到着した際に開閉動作する。到着灯１８２は、乗りかご１４が乗場１８に到着した際に点滅表示する。呼びボタン１８３は、乗りかご１４の呼び登録を行う。スピーカ１８４は、乗場１８にいる利用者に向けて音声案内する。
【００２７】
図５は、携帯端末２０において表示される画面Ｄ１を示す。
画面Ｄ１は、アプリケーション表示領域Ｄ１１、メッセージ入力領域Ｄ１２及びスケジュール管理領域Ｄ１３から構成される。
【００２８】
アプリケーション表示領域Ｄ１１には、アプリケーションの名称が表示される。
メッセージ入力領域Ｄ１２には、主にエレベータ装置１０の管理者が利用する領域であって、文字入力したメッセージをテキストデータとしてかご制御装置１２に送信するための入力画面が表示される。またメッセージ入力領域Ｄ１２には、メッセージを音声案内する日時、期間又は時間帯などの詳細設定を行うための詳細設定ボタンと、メッセージ及び詳細設定の情報を送信するための送信ボタンとが押下可能に表示される。
【００２９】
スケジュール管理領域Ｄ１３は、主にエレベータ装置１０の利用者が利用する領域であって、利用者が音声案内を希望する日時、期間又は時間帯を選択するためのカレンダーが押下可能に表示される。またスケジュール管理領域Ｄ１３には、音声案内を希望する内容を編集するための編集ボタンが押下可能に表示される。
【００３０】
従って図５の場合、携帯端末２０において予めインストールされている「エレベータ音声案内アプリ」という名称のアプリケーションが動作していることが示されている。
【００３１】
また管理者がこのアプリケーションにより表示される画面を操作している場合、「次回のエレベータ保守点検日は○月○日です。」という内容を音声案内しようとしていることが示されている。
【００３２】
また利用者がこのアプリケーションにより表示される画面を操作している場合、○月の何れかのスケジュールをエレベータ装置１０に登録しようとしていることが示されている。
【００３３】
なおここでは説明の便宜上、メッセージ入力領域Ｄ１２及びスケジュール管理領域Ｄ１３が同一の画面Ｄ１に同時に表示されているがこれに限らず、管理者が操作する場合にはメッセージ入力領域Ｄ１２だけが表示され、利用者が操作する場合にはスケジュール管理領域Ｄ１３だけが表示されるとしてもよい。
【００３４】
図６は、管理者用音声案内処理の処理手順を示す。
この管理者用音声案内処理は、携帯端末２０から送信されたメッセージをエレベータ制御装置１１が受信したことを契機として、エレベータ制御装置１１の制御部１１１及び記憶部１１２に記憶されているプログラムにより実行される。ここでは説明の便宜上、処理主体を制御部１１１として説明する。
【００３５】
まず制御部１１１は、携帯端末２０からのメッセージを受信したか否かを判断する（ＳＰ１）。携帯端末２０からのメッセージは、携帯端末２０のメッセージ入力領域Ｄ１２（図５）において管理者により作成され、Ｗｉ−Ｆｉ（Wireless Fidelity）又はＢｌｕｅｔｏｏｔｈ（登録商標）などの無線通信により送信される。またこのとき制御部１１１は、携帯端末２０からのメッセージに付加して、或いは、このメッセージとともに、音声案内する日時を示すスケジュールデータを受信したか否かについても判断する。
【００３６】
携帯端末２０において作成及び送信されるメッセージは、例えばエレベータ保守点検日に関するメッセージ又は各種ごみの日の連絡に関するメッセージであり、標準的な放送内容以外の特殊なメッセージである。またスケジュールデータが示す日時は、例えば年月日、期間又は時間帯である。携帯端末２０において作成されたメッセージ及びスケジュールは、かご制御装置１２に送信され、かご制御装置１２からエレベータ制御装置１１に転送される。
【００３７】
制御部１１１は、ステップＳＰ１の判断で否定結果を得ると、携帯端末２０からのメッセージを受信するまで待機する。これに対し、制御部１１１はステップＳＰ１の判断で肯定結果を得ると、スケジュールデータに基づいて、音声案内する日時が指定されているか否かを判断する（ＳＰ２）。
【００３８】
制御部１１１は、ステップＳＰ２の判断で肯定結果を得ると、時刻管理部１１４により指定日を管理し、指定日が到来するまでメッセージを記憶部１１２に記憶して待機する（ＳＰ３）。
【００３９】
ここで、携帯端末２０からのメッセージはテキストデータであるため、音声データと比較してサイズが小さい。よってメッセージを記憶部１１２に大量に記憶しておくことができる。制御部１１１は、指定日が到来した場合、ステップＳＰ４に移行する。
【００４０】
これに対し、制御部１１１はステップＳＰ２の判断で否定結果を得ると、或いは、ステップＳＰ３において音声案内する指定日が到来した場合、携帯端末２０から受信したテキストデータであるメッセージを音声合成する（ＳＰ４）。
【００４１】
そして制御部１１１は、音声合成して作成した音声データを乗りかご１４内のスピーカ４０４で音声出力してアナウンスすることにより（ＳＰ５）、本処理を終了する。
【００４２】
図７は、利用者用音声案内処理の処理手順を示す。
この利用者用音声案内処理は、携帯端末２０から送信されたメッセージをエレベータ制御装置１１が受信したことを契機として、エレベータ制御装置１１の制御部１１１及び記憶部１１２に記憶されているプログラムにより実行される。ここでは説明の便宜上、処理主体を制御部１１１として説明する。
【００４３】
まず制御部１１１は、携帯端末２０からスケジュール当日のメッセージを受信したか否かを判断する（ＳＰ１１）。スケジュール当日のメッセージは、携帯端末２０のスケジュール管理領域Ｄ１３（図５）においてエレベータ装置１０の利用者により予め作成されており、Ｗｉ−Ｆｉ（Wireless Fidelity）又はＢｌｕｅｔｏｏｔｈ（登録商標）などの無線通信によりスケジュール当日に送信される。
【００４４】
作成及び送信されるスケジュール当日のメッセージは、エレベータ装置１０の利用者のそれぞれで異なり、例えば旅行時のパスポートなどの所持忘れがないかを確認するメッセージ又は家族の誕生日であることを知らせるメッセージがある。携帯端末２０において作成されたメッセージは、スケジュール当日に利用者が乗場１８に到着した際、乗場制御装置１３に送信され、乗場制御装置１３からエレベータ制御装置１１に転送される。
【００４５】
制御部１１１は、ステップＳＰ１１の判断で否定結果を得ると、メッセージを受信するまで待機する。これに対し、制御部１１１はステップＳＰ１１の判断で肯定結果を得ると、携帯端末２０から受信したテキストデータであるメッセージを音声合成する（ＳＰ１２）。
【００４６】
そして制御部１１１は、音声合成して作成した音声データを乗場１８のスピーカ１３３で音声出力してアナウンスすることにより（ＳＰ１３）、本処理を終了する。
【００４７】
以上のように本実施の形態によれば、エレベータ装置１０は、携帯端末２０から送信されたテキストデータを受信すると、受信したテキストデータを音声合成して音声データを作成し、作成した音声データに基づいて、乗りかご１４又は乗場１８において音声案内するようにしたので、管理者及び利用者の両者は、携帯端末２０を操作するだけで任意の音声案内を容易に作成することができる。
【００４８】
また管理者は、携帯端末２０を操作して音声案内を作成する場合、音声案内される日時、期間及び時間帯を指定することができるため、突発的な内容について音声案内を容易に作成することができることに加えて、定期的な内容についても予めエレベータ装置１０に登録しておくことができる。登録しておくデータは、テキストデータなのでサイズが小さく、指定された日時が到来した際に音声データに変換される。よって記憶資源を有効活用して使用量を最小限に抑えることができる。
【００４９】
また利用者は、携帯端末２０を操作して音声案内を作成する場合、利用者個人の予定を予めエレベータ装置１０に登録しておくことができる。登録しておくデータは、上述したようにテキストデータなのでサイズが小さい。よって記憶資源を有効活用して使用量を最小限に抑えることができる。そして利用者は、乗りかご１４に乗る前の乗場１８においてスケジュール当日に音声案内されるので、無駄な乗り降りを回避することができる。
【００５０】
よって本実施の形態によれば、音声案内の利便性を向上することができる。
【符号の説明】
【００５１】
１    エレベータ装置
１０  エレベータ制御装置
２０  かご制御装置
３０  乗場制御装置
Ｐ１  携帯端末
【図１】
2014234292.tif 000003
【図２】
2014234292.tif 000004
【図３】
2014234292.tif 000005
【図４】
2014234292.tif 000006
【図５】
2014234292.tif 000007
【図６】
2014234292.tif 000008
【図７】
2014234292.tif 000009